(57)【要約】【課題】釣具の取り出し時には、ポケットの開口を大きく開けることができ、釣具の収納時には、ポケットが外側に突出することがない釣り用上着のポケット構造を提供する。【解決手段】前身頃の外面に、前身頃から離間する外側に張り出すマチ部とマチ部よりも前側に配置される前側部とを有するポケットを備え、ポケットの開口に、開口を閉じる開閉手段を備え、ポケットの内部を複数の区画に仕切る仕切部材を、前身頃の外面と前側部の内面とに亘る状態で備え、仕切部材は、開閉手段の閉じ状態において前身頃の外面と前側部の内面とに亘る方向であるマチ方向の途中で折れるように構成され、かつ、開閉手段を開放した状態で前側部をマチ部から離間した最大開放位置に移動させるにつれて広がるように構成されている。【選択図】図５
2017210694.tif 000002
【特許請求の範囲】
【請求項１】
前身頃から外側に張り出すマチ部と該マチ部の前側に配置される前側部とを有するポケットを備え、該ポケットの開口は、前記前身頃の面方向に沿った第１方向に沿って延びる第１開口部と、前記前身頃の面方向に沿い、かつ、前記第１方向に交差する第２方向に沿って前記第１開口部の端部に連続する第２開口部とを備え、前記第１開口部及び第２開口部に開閉自在な開閉手段を備え、
前記ポケットの内部を複数の区画に仕切る仕切部材を、前記前身頃の外面と前記前側部の内面とに亘る状態で備え、
前記仕切部材は、
前記前身頃と前記前側部とが対向するマチ方向に沿い、かつ、前記第１開口部側に配置される第１マチ端部と、
前記マチ方向と前記第１方向とに直交するポケット深さ方向において前記第１マチ端部と対向する第２マチ端部とを備え、
少なくとも前記第１マチ端部のマチ方向の寸法は、前記マチ部のマチ寸法より大きく構成され、
少なくとも前記第１マチ端部側が、前記マチ方向の途中で折り曲げ可能となるように前記第１マチ端部から前記ポケット深さ方向に延びる折れ線部を備えていることを特徴とする釣り用上着のポケット構造。
【請求項２】
前記仕切部材は、前記第１マチ端部から前記第２マチ端部にかけて前記マチ方向の寸法が小さくなる略逆台形状に構成されていることを特徴とする請求項１に記載の釣り用上着のポケット構造。
【請求項３】
前記第１マチ端部が、前記第１開口部よりも前記ポケット深さ方向に離間していることを特徴とする請求項１又は２に記載の釣り用上着のポケット構造。
【発明の詳細な説明】
【技術分野】
【０００１】
本発明は、例えばルアーフィッシング、磯釣り、波止釣り、船釣りなどで着用する釣り用上着のポケット構造に関する。
【背景技術】
【０００２】
かかる釣り用上着の前身頃の左右の下側部分の外面のそれぞれには、前身頃から外側に張り出すマチ部とマチ部の前側に配置される前側部とを有するポケットを備えている。前記ポケットの開口には、開口を閉じる開閉自在なスライドファスナーを備えている。左右のポケットのうちの一方のポケットには、ハリス、針収納ケース、オモリ、ウキ等の釣具を混在することなく、分けて収納することができるように、ポケットの内部に３つの区画に仕切る複数（２つ）の仕切部を設けたものが既に提案されている。各仕切部は、マチ方向の一端部が前側部の内面に縫着され、他端部が前身頃の外面に雄雌の面ファスナーにより着脱自在に取り付けられるように構成されている（例えば、特許文献１参照）。
【先行技術文献】
【特許文献】
【０００３】
【特許文献１】特開２００６−２６５７４９号公報
【発明の概要】
【発明が解決しようとする課題】
【０００４】
上記仕切部を取り付けた状態では、前側部の内面と前身頃の外面とを仕切部で連結した状態になっているため、スライドファスナーを開いて前側部を掴んで外側へ移動させてポケットの開口を大きく開くことができない。このため、特に、ポケットの底部に収納されている小さな釣具（例えばオモリやウキなど）を取り出し難いという不都合があり、改善の余地があった。因みに、仕切り部のマチ方向の幅（前身頃の外面から前側部の内面に亘る寸法）をマチ部の幅よりも大きくすることが考えられるが、スライドファスナーを閉じた状態において、仕切り部が突っ張りとなってポケットが外側に突出した状態になり、実際には実施し難いものであった。
【０００５】
そこで、本発明は、ポケット開放時には、ポケットの開口を大きく開けることができ、ポケット閉塞時には、ポケットが外側に突出することがない釣り用上着のポケット構造を提供することにある。
【課題を解決するための手段】
【０００６】
本発明の釣り用上着のポケット構造は、前身頃から外側に張り出すマチ部と該マチ部の前側に配置される前側部とを有するポケットを備え、該ポケットの開口は、前記前身頃の面方向に沿った第１方向に沿って延びる第１開口部と、前記前身頃の面方向に沿い、かつ、前記第１方向に交差する第２方向に沿って前記第１開口部の端部に連続する第２開口部とを備え、前記第１開口部及び第２開口部に開閉自在な開閉手段を備え、前記ポケットの内部を複数の区画に仕切る仕切部材を、前記前身頃の外面と前記前側部の内面とに亘る状態で備え、前記仕切部材は、前記前身頃と前記前側部とが対向するマチ方向に沿い、かつ、前記第１開口部側に配置される第１マチ端部と、前記マチ方向と前記第１方向とに直交するポケット深さ方向において前記第１マチ端部と対向する第２マチ端部とを備え、少なくとも前記第１マチ端部のマチ方向の寸法は、前記マチ部のマチ寸法より大きく構成され、少なくとも前記第１マチ端部側が、前記マチ方向の途中で折り曲げ可能となるように前記第１マチ端部から前記ポケット深さ方向に延びる折れ線部を備えていることを特徴としている。
【０００７】
本発明によれば、開閉手段を閉じた状態では、仕切部材は、折れ線部で折り曲げられる。また、開閉手段が開いた状態では、仕切部材が折れ曲がることなく展開するので、第１開口部及び第２開口部をマチ部のマチ寸法よりも大きく開放することができる。
【０００８】
また、本発明の釣り用上着のポケット構造は、前記仕切部材が、前記第１マチ端部から前記第２マチ端部にかけて前記マチ方向の寸法が小さくなる略逆台形状に構成されていてもよい。
【０００９】
上記のように、仕切部材を、第１マチ端部から第２マチ端部にかけてマチ方向の寸法が小さくなる略逆台形状に構成することによって、第１マチ部が配置される第１開口部側は大きく開けることができながらも、第２マチ部が配置される第１開口部に対してポケットの深さ方向で対向する側は狭くなっているので、ポケットの底部に収納される釣具が不測に移動して散らばることがなく、釣具をより一層取り出し易い。
【００１０】
また、本発明の釣り用上着のポケット構造は、前記第１マチ端部が、前記第１開口部よりも前記ポケット深さ方向に離間していてもよい。
【００１１】
上記のように、第１マチ端部が、第１開口部よりもポケット深さ方向に離間することによって、ポケットの深さ方向でのポケット内部の見通しを良くすることができ、収納された釣具をより一層取り出し易い。
【発明の効果】
【００１２】
本発明のように、ポケット閉塞時には、折れ線部で折り曲げられるように構成され、かつ、ポケットの開放時には、折れ曲がることなく展開するように構成された仕切部材をポケット内に備えることによって、ポケット開放時には、ポケットの開口を大きく開けることができ、ポケット閉塞時には、ポケットが外側に突出することがない釣り用上着のポケット構造を提供することができる。
【図面の簡単な説明】
【００１３】
【図１】本発明の釣り用上着の正面図である。
【図２】同釣り用上着の背面図である。
【図３】同釣り用上着を展開した図である。
【図４】ポケットの内部を示す概略斜視図である。
【図５】（ａ）はポケットを少し開いた斜視図、（ｂ）はポケットを大きく開いた斜視図である。
【図６】ポケット内部に設ける仕切部材を１枚増やした他の実施形態を示すポケットの斜視図である。
【発明を実施するための形態】
【００１４】
図１〜図３に、浮力材付きの釣り用上着の一例である袖なしの上着であるベストを示しているが、袖のある上着であってもよい。このベストは、例えば磯釣りの際に着用するフローティングベストとして使用しているが、その他の釣り（波止釣りや船釣りやルアーフィッシング等）で使用してもよい。
【００１５】
ベストは、前身頃１と、この前身頃１の左右両端に連結される後身頃２とを有する上着本体を備えている。前身頃１は、左前身頃３と右前身頃４とを備えている。左前身頃３の内部に、４つの浮力材５，６，７，８（図３参照）を備えている。また、右前身頃４の内部に、左前身頃３と同じ４つの浮力材５，６，７，８（図３参照）を備えている。これら左前身頃３及び右前身頃４の左右方向中心部側端に備えさせたベスト着脱用スライドファスナーＦを開閉操作することで身体にベストを着脱することができるようになっている。ここでは、４つの浮力材としているが、浮力材の個数は、４つに限定されない。尚、ベストを着用した着用者から見て左側を左側とし、右側を右側とする。また、図１に示すように、着用者から見て左右を身幅方向とし、身幅方向の中央を中央部とし、身幅方向両端部の一方を左外側部とし、かつ、他方を右外側部とする。また、上下方向を身丈方向とする。
【００１６】
図１に示すように、一方の左前身頃３の上側に第１ポケット９を備え、下側に第１ポケット９よりも大きく、該左前身頃３から外側に張り出すマチ部１０Ａとマチ部１０Ａの前側に配置される前側部１０Ｔとを有する第２ポケット１０を備えている。第２ポケット１０の開口１０Ｋは、前身頃１の面方向に沿った第１方向（身幅方向、図では左右方向）に沿って延びるとともに上端に位置する横向きの第１開口部１０１と、前身頃１の面方向に沿い、かつ、第１方向に交差する第２方向（身丈方向、図では上下方向）に沿って第１開口部１０１に連続する縦向きの左右一対の第２開口部１０２，１０３とを備えている。マチ部１０Ａには、第２ポケット１０の開口１０Ｋを開閉する開閉手段を構成するスライドファスナー１０Ｂを備えている。また、第１ポケット９の開口を開閉する開閉手段を構成するスライドファスナー９Ｂを備えている。
【００１７】
他方の右前身頃４の上側に第３ポケット１１を備え、下側に第３ポケット１１よりも大きく、該右前身頃４から外側に張り出すマチ部１２Ａとマチ部１２Ａの前側に配置される前側部１２Ｔとを有する第４ポケット１２を備えている。第４ポケット１２の開口１２Ｋは、第２ポケット１０と同様に、前身頃１の面方向に沿った第１方向（身幅方向、図では左右方向）に沿って延びるとともに上端に位置する横向きの第１開口部１２１と、第１開口部１２１の面方向に沿い、かつ、第１方向に交差する第２方向（身丈方向）に沿って第１開口部１２１に連続する縦向きの左右一対の第２開口部１２２，１２３とを備えている。図１に示すように、マチ部１２Ａには、第４ポケット１２の開口１２Ｋを開閉する開閉手段を構成するスライドファスナー１２Ｂを備えている。また、第３ポケット１１の開口を開閉する開閉手段を構成するスライドファスナー１１Ｂを備えている。
【００１８】
また、左前身頃３の第１ポケット９と第２ポケット１０との間に第５ポケット１３を備え、第５ポケット１３の開口を開閉するためのスライドファスナー１３Ｂを備えている。また、右前身頃４の第３ポケット１１と第４ポケット１２との間に第６ポケット１４を備え、第６ポケット１４の開口を開閉するためのスライドファスナー１４Ｂを備えている。
【００１９】
図３に示すように、後身頃２の内部には、５つの浮力材１５，１６，１７，１８，１９を備えている。左右中央に位置する浮力材１７が、他の浮力材に比べて左右幅が最も広く、かつ、上下寸法が最も長い大きな浮力材に構成されている。その浮力材１７の上端位置を後身頃２の上端よりも少し低い位置にあり、首を動かし易くなっている。尚、浮力材の個数は、図に示す５つに限定されるものではない。
【００２０】
図２及び図３に示すように、後身頃２を構成する生地の大部分が、通気性を有するメッシュ状生地２０から構成されている。このメッシュ状生地２０を表面（外面）側から覆う外皮部材２１を備えている。この外皮部材２１の上端部及び左右両端部に、複数の雄型（又は雌型）の係止部材（ドット釦）２２を備えさせ、係止部材２２に係止及び係止解除自在な雌型（又は雄型）の被係止部材（ドット釦）２３を、後身頃２の上部側に備えた帯状の生地２４の内面及び後身頃２の左右両端部分２５，２６の内面にそれぞれ備えさせて、両者を係止及び係止解除することにより、外皮部材２１を後身頃２に着脱自在に取り付けることができるようになっている。
【００２１】
図４及び図５（ａ），（ｂ）に示すように、前身頃１の左右の下側部分の外面の左側に位置する第２ポケット１０に、第２ポケット１０の開放時において第２ポケット１０の開口から外部へ釣具がこぼれ落ちることを防止するこぼれ落ち防止部材２７と、第２ポケット１０の内部を複数（ここでは３つ）の区画に仕切る２枚の仕切部材２８，２９と、を備えている。
【００２２】
こぼれ落ち防止部材２７を設けている理由について説明する。第２ポケット１０の右側の第２開口部１０２が、第１開口部１０１の身幅中央部側端部（右端部）から身丈方向下方に延びているので、第２ポケット１０を開放した時に、第２開口部１０２が開いて内部を見易くなる一方、第２開口部１０２から釣具がポケット外へ落ちてしまう。この開放機能を損ねないようにしながら、釣具の落下防止を行うためにこぼれ落ち防止部材２７を設けている。
【００２３】
こぼれ落ち防止部材２７は、第２ポケット内タフタと呼ばれる緻密な絹の平織物から構成されているが、可撓性を有するものであれば、どのような材料から構成されていてもよい。また、こぼれ落ち防止部材２７は、図５（ａ），（ｂ）に示すように、第２ポケット１０内の身幅中央端部（図では右端部）に配置され、前身頃１の外面１Ａと前側部１０Ｔの内面１０ａとに亘る状態で備えている。具体的には、こぼれ落ち防止部材２７は、前身頃１と前側部１０Ｔとが対向するマチ方向一端部が前身頃１の外面１Ａに縫着され、マチ方向他端部が前側部１０Ｔの内面１０ａに縫着され、下端部がマチ部１０Ａの底部１０ｈに縫着されている。また、こぼれ落ち防止部材２７は、ポケット深さ方向上端側ほど幅が広くなる略逆台形状に構成され、マチ方向の途中（ここでは中央部であるが、前身頃１寄り又は前側部１０Ｔ寄りでもよい）で折り曲げ可能となるようにポケット深さ方向（上下方向）に延びる折れ線部２７Ａを備えている。この折れ線部２７Ａは、こぼれ落ち防止部材２７のマチ方向の途中で山折りにし、山折りした先端部を重ね合わせた状態で縫い付けることによって、構成されている。このこぼれ落ち防止部材２７は、後述の仕切部材２８，２９と形状及び大きさ並びに材質が同一のものからなっている。従って、後述の仕切部材２８，２９と同様に、スライドファスナー１０Ｂを閉じた状態では、こぼれ落ち防止部材２７は、折れ線部２７Ａで折り曲げられる。また、スライドファスナー１０Ｂが開いた状態では、こぼれ落ち防止部材２７が折れ曲がることなく展開するので、第１開口部１０１及び第２開口部１０２，１０３をマチ部１０Ａのマチ寸法よりも大きく開放することができる。
【００２４】
２枚の仕切部材２８，２９は、こぼれ落ち防止部材２７と同様に、タフタと呼ばれる平織物から構成されているが、可撓性を有するものであれば、どのような材料から構成されていてもよい。図４及び図５（ａ），（ｂ）に示すように、各仕切部材２８又は２９は、前身頃１の外面１Ａと前側部１０Ｔの内面１０ａとに亘る状態で備えている。具体的には、各仕切部材２８又は２９は、前身頃１と前側部１０Ｔとが対向するマチ方向に沿い、かつ、第１開口部１０１側に配置される第１マチ端部２８１又は２９１と、マチ方向と第１方向（図１参照）とに直交するポケット深さ方向（身丈方向又は上下方向）において第１マチ端部２８１又は２９１と対向する第２マチ端部２８２又は２９２とを備え、第１マチ端部２８１又は２９１のマチ方向の寸法は、マチ部１０Ａのマチ寸法より大きく構成されている。また、第１マチ端部側が、マチ方向の途中で折り曲げ可能となるように第１マチ端部２８１又は２９１からポケット深さ方向に延びる折れ線部２８Ａ又は２９Ａを備えている。また、各仕切部材２８又は２９は、マチ方向一端部が前身頃１の外面１Ａに縫着され、かつ、マチ方向他端部が前側部１０Ｔの内面１０ａに縫着され、下端部となる第２マチ端部２８２又は２９２がマチ部１０Ａの底部１０ｈに縫着されている。この折れ線部２８Ａ又は２９Ａは、各仕切部材２８又は２９のマチ方向の途中で山折りにし、山折りした先端部を重ね合わせた状態で縫い付けることによって、構成されている。こぼれ落ち防止部材２７と第１仕切部材２８との間隔が最も長くなるように、かつ、第１仕切部材２８と第２仕切部材２９との間隔と第２仕切部材２９からポケット１０の左端までの間隔とが略同一になるように、２枚の仕切部材２８，２９を配置しているが、これに限ったものではない。
【００２５】
上記のように仕切部材２８，２９を（仕切部材と同一構成のこぼれ防止部材２７も同様に）備えているので、スライドファスナー１０Ｂの閉じ状態において前身頃１の外面１Ａと前側部１０Ｔの内面１０ａとに亘る方向であるマチ方向の途中の折れ線部２７Ａ，２８Ａ，２９Ａで折れるように構成され、かつ、スライドファスナー１０Ｂを開放した状態で前側部１０Ｔを掴んでマチ部１０Ａから離間した最大開放位置（図５（ｂ）参照）に移動させるにつれて広がるように構成されている。スライドファスナー１０Ｂを閉じた状態では、仕切部材２８，２９は、折れ線部２８Ａ，２９Ａで折り曲げられる。また、スライドファスナー１０Ｂが開いた状態では、仕切部材２８，２９が折れ曲がることなく展開するので、第１開口部１０１及び第２開口部１０２，１０３をマチ部のマチ寸法よりも大きく開放することができる。尚、図５（ｂ）は、前側部１０Ｔを最大開放位置にした状態を示し、図５（ａ）は、前側部１０Ｔを最大開放位置よりも手前の位置を示している。これによって、第２ポケット１０の開口１０Ｋを大きく開けることができるので、第２ポケット１０に収納されている釣具を容易に取り出すことができる。また、釣具を取り出した後に前側部１０Ｔから手を離すことによって、広がっている仕切部材２８，２９が折れ線部２７Ａ，２８Ａ，２９Ａで折れることで（図４参照）、第２ポケット１０の前側部１０Ｔがマチ部１０Ａから外側に突出することがない。
【００２６】
また、仕切部材２８，２９の上端部である第１マチ端部２８１又は２９１が、図５（ａ），（ｂ）に示すように、第１開口部１０１（マチ部１０Ａの上端）よりもポケット深さ方向に離間しており、ポケットの深さ方向でのポケット１０内部の見通しを良くすることができ、収納された釣具をより一層取り出し易い。仕切部材２８，２９と同一構成のこぼれ防止部材２７も同様の構成である。
【００２７】
尚、本発明は、上記実施形態に限定されるものではなく、本発明の要旨を逸脱しない範囲で種々の変更が可能である。
【００２８】
前記実施形態では、仕切部材２８，２９を、上端側ほど幅が広くなる略逆台形状に構成したが、上下方向同一幅に構成して実施してもよい。
【００２９】
また、前記実施形態では、前身頃を左右の前身頃から構成したが、頭から被って着るような１つの前身頃からなるベストであってもよい。
【００３０】
また、前記実施形態では、ポケット１０の開口１０Ｋを閉じる開閉自在な開閉手段としてスライドファスナー１０Ｂを用いたが、雄雌の面ファスナーやホックであってもよい。
【００３１】
また、前記実施形態では、２枚の仕切部材２８，２９を示したが、１枚又は３枚以上の仕切部材を設けてもよい。また、図６に示すようにポケット１０の左端部にもこぼれ防止部材３０を設けて実施してもよい。図６のこぼれ防止部材２７及び仕切部材２８，２９は、図５（ａ）と同様であるため、説明を省略する。これら４枚の部材２７，２８，２９，３０には、図５（ａ）に示した折れ線部２７Ａ，２８Ａ，２９Ａ，３０Ａを備えている。
【００３２】
また、前記実施形態では、仕切部材２８，２９の上端が、第１開口部１２１よりも下方に位置している場合を示したが、仕切部材２７，２８，２９の上端が、第１開口部１２１と同等の位置になるように仕切部材２７，２８，２９を構成してもよい。
【００３３】
また、前記実施形態では、第１開口部１０１に連続する縦向きの左右一対の第２開口部１０２，１０３を備えた場合を示したが、第１開口部１０１の一方にのみ第２開口部を備えたものでもよい。また、仕切部材を下側で左側の第２ポケット１０に設けたが、下側で右側の第４ポケット１２に設けてもよいし、第２ポケット１０と第４ポケット１２の両方に仕切部材を設けて実施することもできる。また、上側の第１ポケット９及び第３ポケット１１のいずれか一方又は両方に仕切部材を設けて実施してもよい。
【００３４】
また、前記実施形態では、第１マチ端部側が、マチ方向の途中で折り曲げ可能となるように第１マチ端部からポケット深さ方向に延びる折れ線部２８Ａ，２９Ａを備えていたが、これに加えて、第２マチ端部側が、マチ方向の途中で折り曲げ可能となるように第２マチ端部からポケット深さ方向に延びる折れ線部を備えていてもよい。
【符号の説明】
【００３５】
１…前身頃、１Ａ…外面、２…後身頃、３…左前身頃、４…右前身頃、５，６，７，８…浮力材、９…第１ポケット、９Ｂ，１１Ｂ…スライドファスナー、１０…第２ポケット、１０Ａ…マチ部、１０Ｂ…スライドファスナー（開閉手段）、１０Ｋ…開口、１０Ｔ…前側部、１０ａ…内面、１０ｈ…底部、１１…第３ポケット、１２…第４ポケット、１２Ａ…マチ部、１２Ｂ…スライドファスナー、１２Ｋ…開口、１２Ｔ…前側部、１３…第５ポケット、１３Ｂ…スライドファスナー、１４…第６ポケット、１４Ｂ…スライドファスナー、１５，１６，１７，１８，１９…浮力材、２０…メッシュ状生地、２１…外皮部材、２２…係止部材、２３…被係止部材、２４…生地、２５，２６…左右両端部分、２７…こぼれ落ち防止部材、２８，２９，３０…仕切部材、２７Ａ，２８Ａ，２９Ａ，３０Ａ…折れ線部、１０１…第１開口部、１０２，１０３…第２開口部、１２１…第１開口部、１２２，１２３…第２開口部、２８１，２９１…第１マチ端部、２８２，２９２…第２マチ端部、Ｆ…ベスト着脱用スライドファスナー
【図１】
2017210694.tif 000003
【図２】
2017210694.tif 000004
【図３】
2017210694.tif 000005
【図４】
2017210694.tif 000006
【図５】
2017210694.tif 000007
【図６】
2017210694.tif 000008